(57)【要約】【課題】簡単な構造で被冷却機器に送風する冷却空気から塵埃等の異物を効率的かつ確実に除去することができる遠心分離送風機を提供する。【解決手段】モータ１と、前記モータ１の軸に取り付けられたファン２と、前記ファン２を覆うように設けられたファンケース３と、前記ファンケース３に設けられた入気口４と、前記入気口４から導入された外気を前記ファンケース３を介して被冷却機器に送風する吹出口５とを有する遠心分離送風機において、前記ファンケース３の外周内面に少なくとも一つの凸部７を形成するとともに、前記ファンケース３の吹出口５端部に異物６の吐出口８を形成したことを特徴とする。【選択図】図１
2011163230.tif 000002
【特許請求の範囲】
【請求項１】
モータと、前記モータの軸に取り付けられたファンと、前記ファンを覆うように設けられたファンケースと、前記ファンケースに設けられた入気口と、前記入気口から導入された外気を前記ファンケースを介して被冷却機器に送風する吹出口とを有する遠心分離送風機において、
前記ファンケースの外周内面に少なくとも一つの凸部を形成するとともに、前記ファンケースの吹出口端部に異物の吐出口を形成したことを特徴とする遠心分離送風機。
【請求項２】
前記凸部は三角形状であることを特徴とする請求項１記載の遠心分離送風機。
【請求項３】
前記凸部は半円形状であることを特徴とする請求項１記載の遠心分離送風機。
【発明の詳細な説明】
【技術分野】
【０００１】
本発明は、被冷却機器に冷却空気を送風する遠心分離送風機に関する。
【背景技術】
【０００２】
従来の車両用電動機等の被冷却機器に冷却空気を送風する遠心分離送風機の構造を図７、図８に示す（特許文献１）。この遠心分離送風機はモータ１の軸にファン２を設け、そのファン２を覆うようにスクロール状のファンケース３が取り付けられている。ファンケース３には入気口４が設けられ、ファン２が回転すると外気が入気口から導かれファンケース内部を流れ、吹出口５から被冷却機器（図示せず）に冷却空気を送風する構造になっている。
【０００３】
その際、外部から取り入れた空気には、塵埃等の異物６が含まれるが、これらの異物６は外部から導かれた空気とともに遠心力を受けるために、異物６は図１に示すようにファンケース３の外周内面を移動し、吹出口５の外側端部に設けられた吐出口８から送風機の機外へ排出される。
【先行技術文献】
【特許文献】
【０００４】
【特許文献１】特開２００３−２１４３９７号公報
【発明の概要】
【発明が解決しようとする課題】
【０００５】
上述した従来の遠心分離送風機の構造では、塵埃等の異物が被冷却機器に流れ込まない工夫がなされているが、一部の塵埃は、ファンケース内面との衝突による跳ね返り、又は、ファンケース内面で生じる乱流のために、全ての塵埃を機外に排出することができず、一部の塵埃は、被冷却機器へ流れ込む恐れがあった。そのため、塵埃等の異物によって被冷却機器が劣化、損傷するという問題があった。
【０００６】
本発明は、上記課題を解決するためになされたもので、簡単な構造で被冷却機器に送風する冷却空気から塵埃等の異物を効率的かつ確実に除去することができる遠心分離送風機を提供することを目的とする。
【課題を解決するための手段】
【０００７】
上記課題を解決するために、本発明の遠心分離送風機は、モータと、前記モータの軸に取り付けられたファンと、前記ファンを覆うように設けられたファンケースと、前記ファンケースに設けられた入気口と、前記入気口から導入された外気を前記ファンケースを介して被冷却機器に送風する吹出口とを有する遠心分離送風機において、前記ファンケースの外周内面に少なくとも一つの凸部を形成するとともに、前記ファンケースの吹出口端部に異物の吐出口を形成したことを特徴とする。
【発明の効果】
【０００８】
本発明によれば、簡単な構造で冷却空気から塵埃等の異物を効率的かつ確実に除去することができるので、被冷却機器内に塵埃等の異物が侵入することを防止し、被冷却機器の異物による劣化や損傷をなくすことができる。
【図面の簡単な説明】
【０００９】
【図１】本発明の第１の実施形態に係る遠心分離送風機の平面図。
【図２】本発明の第１の実施形態に係る遠心分離送風機の断面図。
【図３】本発明の第２の実施形態に係る遠心分離送風機の断面図。
【図４】本発明の第２の実施形態に係る遠心分離送風機の変形例の断面図。
【図５】本発明の第２の実施形態に係る遠心分離送風機の変形例の断面図。
【図６】本発明の第２の実施形態に係る遠心分離送風機の変形例の断面図。
【図７】従来の遠心分離送風機の平面図。
【図８】従来の遠心分離送風機の断面図。
【発明を実施するための形態】
【００１０】
以下、本発明に係る遠心分離送風機の実施形態を、図面を参照して説明する。  
（第１の実施形態）
本発明の第１の実施形態に係る遠心分離送風機を、図１及び図２を参照して説明する。
図１において、遠心分離送風機は、モータ１、モータ１の軸に取り付けられたファン２、スクロール状のファンケース３、入気口４、吹出口５、ファンケース３の外周内面に設けられた凸部７から構成される。図２は図１のＡ−Ａの断面図であり、図２に示すように、凸部７はファンケースの外周の上面と下面に形成されているが、これに限定されずに、凸部は一つ又は３つ以上設けてもよい。また、凸部７は吹出口５の端部まで形成され、塵埃６の吐出口８としても機能する。
【００１１】
このように構成された遠心分離送風機において、ファン２が回転すると入気口４より塵埃等の異物６を含む風がファンケース３内に侵入し、この異物６は空気より重いため遠心力によりファンケース３の外周内面に接触しながら最外周の凸部７へ移動して、冷却空気と同じような動きをしながら吹出口５の方向へ移動し、吐出口８から送風機の機外へ排出される。なお、吐出口８に異物６を所定場所に導く配管等（図示せず）を設けてもよい。
【００１２】
本第１の実施形態によれば、簡単な構造で送風機の機内に侵入した塵埃等の異物を効率的かつ確実に機外へ排出することができるので、被冷却機器内に塵埃等の異物が侵入することを確実に防止し、被冷却機器の異物による劣化や損傷をなくすことができる。
【００１３】
（第２の実施形態）
本発明の第２の実施形態に係る遠心分離送風機を、図３及び図４を参照して説明する。
本第２の実施形態では、ファンケース３の外周内面を１又は複数の頂点を有する三角形状の凸部７から構成する。図３は三角形状の凸部７が一つの場合、図４は２つの場合の例である。
【００１４】
また、凸部７を三角形状とする代わりに、図５及び図６に示すように、半円形状としてもよい。図５は半円形状の凸部７が一つの場合、図４は２つの場合の例である。
このように構成された遠心分離送風機において、入気口４より侵入した塵埃等の異物６は、第１の実施形態と同様に、吐出口８から送風機の機外へ排出される。
【００１５】
本第２の実施形態によれば、簡単な構造で送風機の機内に侵入した塵埃等の異物を効率的かつ確実に機外へ排出することができるので、被冷却機器内に異物が侵入することを確実に防止し、被冷却機器の異物による劣化や損傷をなくすことができる。
【符号の説明】
【００１６】
１…モータ、２…ファン、３…ファンケース、４…入気口、５…吹出口、６…異物、７…凸部、８…吐出口。
【図１】
2011163230.tif 000003
【図２】
2011163230.tif 000004
【図３】
2011163230.tif 000005
【図４】
2011163230.tif 000006
【図５】
2011163230.tif 000007
【図６】
2011163230.tif 000008
【図７】
2011163230.tif 000009
【図８】
2011163230.tif 000010